(57)【特許請求の範囲】
【請求項１】
コネクタの前部外周に硬質材料製の環状体を装着固定し、前記コネクタの後部に、該コネクタの後面部分を覆う軟質材料製の漏斗形状のカバー部材を装着し、該カバー部材の前端の大径筒部を前記コネクタの後部外周に嵌合させ、該カバー部材の後端の小径筒部に、前記コネクタの後面より引き出したワイヤーハーネスを挿通させたコネクタ装置において、
前記コネクタの前部外周に前記環状体を装着固定したときに該環状体の後端面が相対向する前端面を有した段部を該コネクタの後部外周に設け、一方、前記カバー部材の前端にフック部を設けて、該フック部を前記段部に係合させ、そのフック部を、前記環状体を前記コネクタに装着固定することにより、前記段部の前端面と前記環状体の後端面との間に挟んで抜け止めしたことを特徴とするコネクタ装置。
【請求項２】
請求項１に記載のコネクタ装置であって、
前記コネクタと環状体には、該環状体をコネクタの前方から後方に向けて装着することで、互いに係合して前記環状体を前方へ抜け止め固定する係合手段がそれぞれ設けられ、その環状体側の係合手段の後端面と、前記段部の前端面との間に、前記フック部を挟んだことを特徴とするコネクタ装置。
【請求項３】
請求項１または２に記載のコネクタ装置であって、
前記フック部を挟んで固定する前記段部の前端面と前記環状体の後端面の少なくとも一方に滑り止め手段が設けられていることを特徴とするコネクタ装置。
【請求項４】
請求項１〜３のいずれか１項に記載のコネクタ装置であって、
前記コネクタが、パネルの貫通孔を通して互いに嵌合される一対のコネクタのうちの一方のコネクタであり、前記環状体が、前記一方のコネクタの前部外周に装着されるパネルシールユニットのユニット本体であり、該ユニット本体の前部に、前記パネルと一方のコネクタとの隙間をシールする軟質材料製の環状のシール部材が取り付けられていることを特徴とするコネクタ装置。
【発明の詳細な説明】
【技術分野】
【０００１】
本発明は、ワイヤーハーネスが引き出されたコネクタの後面部分に、音漏れ防止等を目的としたゴム等の軟質材料製のカバー部材が装着されたコネクタ装置に関するものである。
【背景技術】
【０００２】
この種のカバー部材として、図１６に、ゴム製のグロメット５１０をコネクタ５０１の後部に装着したコネクタ装置が知られている（例えば、特許文献１参照）。
【０００３】
このコネクタ装置は、車体パネルＰの貫通孔Ｐａを通して嵌合する一対のコネクタ５０１、５０２のパネルＰに対する隙間をグロメット５１０でシールすると共に、該グロメット５１０でコネクタ５０１の後面部分からの音漏れを遮断するようにしたものである。
【０００４】
通常、このような軟質材料製のカバー部材（グロメット５１０）をコネクタ５０１に装着固定する場合、コネクタ５０１の外周にフランジ５０３を設けると共に、カバー部材（グロメット５１０）の内周に係止溝５１３を設け、前記フランジ５０３に係止溝５１３を嵌めることで、カバー部材（グロメット５１０）を抜け止め固定している。
【特許文献１】特許第３８６３７３９号公報（図３）
【発明の開示】
【発明が解決しようとする課題】
【０００５】
ところが、カバー部材（グロメット５１０）に何らかの外力、例えば、ワイヤーハーネスに曲げ等による引張力が働いたときにそれに伴って生じる抜け方向の力が作用した際に、簡単にカバー部材（グロメット５１０）が外れてしまうおそれがあった。
【０００６】
本発明は、上記事情を考慮し、コネクタの後部に装着するカバー部材の保持力強化を図ったコネクタ装置を提供することを目的とする。
【課題を解決するための手段】
【０００７】
請求項１の発明は、コネクタの前部外周に硬質材料製の環状体を装着固定し、前記コネクタの後部に、該コネクタの後面部分を覆う軟質材料製の漏斗形状のカバー部材を装着し、該カバー部材の前端の大径筒部を前記コネクタの後部外周に嵌合させ、該カバー部材の後端の小径筒部に、前記コネクタの後面より引き出したワイヤーハーネスを挿通させたコネクタ装置において、前記コネクタの前部外周に前記環状体を装着固定したときに該環状体の後端面が相対向する前端面を有した段部を該コネクタの後部外周に設け、一方、前記カバー部材の前端にフック部を設けて、該フック部を前記段部に係合させ、そのフック部を、前記環状体を前記コネクタに装着固定することにより、前記段部の前端面と前記環状体の後端面との間に挟んで抜け止めしたことを特徴とする。
【０００８】
請求項２の発明は、請求項１に記載のコネクタ装置であって、前記コネクタと環状体には、該環状体をコネクタの前方から後方に向けて装着することで、互いに係合して前記環状体を前方へ抜け止め固定する係合手段がそれぞれ設けられ、その環状体側の係合手段の後端面と、前記段部の前端面との間に、前記フック部を挟んだことを特徴とする。
【０００９】
請求項３の発明は、請求項１または２に記載のコネクタ装置であって、前記フック部を挟んで固定する前記段部の前端面と前記環状体の後端面の少なくとも一方に滑り止め手段が設けられていることを特徴とする。
【００１０】
請求項４の発明は、請求項１〜３のいずれか１項に記載のコネクタ装置であって、前記コネクタが、パネルの貫通孔を通して互いに嵌合される一対のコネクタのうちの一方のコネクタであり、前記環状体が、前記一方のコネクタの前部外周に装着されるパネルシールユニットのユニット本体であり、該ユニット本体の前部に、前記パネルと一方のコネクタとの隙間をシールする軟質材料製の環状のシール部材が取り付けられていることを特徴とする。
【発明の効果】
【００１１】
請求項１の発明によれば、カバー部材の前端にフック部を設け、そのフック部を、コネクタの前部外周に装着固定した環状体の後端面とコネクタの後部外周に設けた段部の前端面とで挟んで固定したので、外力が作用した際にも、カバー部材を抜けないように強く保持しておくことができる。
【００１２】
請求項２の発明によれば、カバー部材のフック部を段部に係合させた状態で、コネクタの前方から環状体をコネクタの外周に装着固定することにより、カバー部材のフック部を、コネクタと環状体とで挟むことができる。従って、通常の組み付けを行うだけで、確実にカバー部材の抜け止め強化を図ることができる。
【００１３】
請求項３の発明によれば、フック部を挟む端面に滑り止めを設けたので、よりカバー部材の抜け止め強化を図ることができる。
【００１４】
請求項４の発明によれば、パネルとコネクタの隙間をシールするために設けたパネルシールユニットを用いてカバー部材の抜け止め強化を図ることができる。
【発明を実施するための最良の形態】
【００１５】
以下、本発明の実施形態を図面を参照して説明する。
【００１６】
図１はパネルの片側に設けるコネクタ装置の分解斜視図、図２は同コネクタ装置の主要構成部品であるコネクタの斜視図、図３はその側断面図、図４は図３のＩＶ部の拡大図、図５は図１のコネクタ装置を構成する部品であるパネルシールユニットのユニット本体の斜視図、図６はその側断面図、図７は図６のＶＩＩ部の拡大図、図８は図１のコネクタ装置を構成する部品であるカバー部材の斜視図、図９はその側断面図、図１０は図９のＸ部の拡大図、図１１はコネクタの後部外周にカバー部材の前端を嵌合させると共にパネルシールユニットを前方からコネクタの外周に装着固定しようとしている状態を示す要部拡大断面図、図１２は図１１の次の段階を示す図で、コネクタの後部外周に設けた段部にカバー部材の前端を係合させ、その状態でパネルシールユニットをコネクタの外周に装着固定することにより、パネルシールユニットの後端面と段部の前端面とでカバー部材のフック部を挟んで固定している状態を示す要部の拡大断面図、図１３はコネクタ装置の完成斜視図、図１４は図１３のＸＩＶ−ＸＩＶ矢視断面図、図１５はパネルの貫通孔を通して一対のコネクタを嵌合させようとしている状態を示す断面図である。なお、図１２は図１４のＸＩＩ部の拡大断面図に相当する。
【００１７】
このコネクタ装置は、図１５に示すように、エンジンルームと車室を仕切る車体パネルＰの貫通孔Ｐａを通して嵌合される一対のコネクタ１０、２００のうちの車室側のコネクタ１０を中心に構成されたものであり、車室側のコネクタ１０と、該コネクタ１０の前部外周に装着されたパネルシールユニット２０と、該コネクタ１０の後部に装着されたカバー部材３０とからなる。カバー部材３０は、エンジンルームから車室内への音漏れを主に防止する目的で設けられている。
【００１８】
パネルシールユニット２０は、コネクタ１０とパネルＰの隙間をシールするためのものであり、図１に示すように、環状の硬質樹脂製のユニット本体（環状体）２０Ａと、その前面に取り付けられたゴム等の軟質材料製の環状のシール部材１００とからなる。
【００１９】
コネクタ１０は、図２〜図４に示すように、硬質の合成樹脂成形体からなるコネクタハウジングの内部に複数の端子（図示略）を収容し、各端子に接続された電線をワイヤーハーネス（図示略）として束ねて、後面から外に引き出したものである。
【００２０】
このコネクタ１０は、前部に相手コネクタ２００に対する嵌合フード部１１を有し、後部外周に環状隙間１３を介して外周筒壁１２を有し、その更に後部にカバー部材３０の前端を装着するためのカバー嵌合用の筒壁１６を有している。このカバー嵌合用の筒壁１６には、後述するカバー部材３０の前端のフック部３５が係合する前向きの段部１５が設けられている。
【００２１】
コネクタ１０の外周筒壁１２の内周側には、環状隙間１３から挿入されてきたパネルシールユニット２０の後端部を係止する係合アーム（係合手段）１４が設けられている。係合アーム１４の自由端には係合突起１４ａが設けられ、係合突起１４ａの後端面が、パネルシールユニット２０の前方への抜け止めを果たす係合壁１４ｂとなっている。
【００２２】
パネルシールユニット２０のユニット本体２０Ａは、図５〜図７に示すように、前面にシール取付面２２を有する環状のフランジ部２１と、フランジ部２１の内周端から後方へ延び、コネクタ１０の嵌合フード部１１の外周に嵌合する嵌合筒壁２３と、嵌合筒壁２３の後端に設けられた係合部（係合手段）２４とを備えている。
【００２３】
この係合部２４は、嵌合筒壁２３の後端部が、コネクタ１０の環状隙間１３に前方から挿入されたとき、係合アーム１４の係合突起１４ａと係合して、パネルシールユニット２０の前方への移動を阻止する。そして、係合状態で、係合部２４の後端面２４ａが、コネクタ１０の段部１５の前端面１５ａと相対向するようになっている。
【００２４】
カバー部材３０は、図８〜図１０に示すように、ゴムや軟質樹脂等により成形された漏斗形状のもので、後部に小径筒部３１、前部に大径筒部３２、その中間に小径筒部３１と大径筒部３２を繋ぐ円錐状壁部３３とを有している。大径筒部３２の１８０度対向する２位置には肉厚部３４が設けられており、その肉厚部３４の前端に内方に向けてくの字状に曲がったフック部３５が設けられている。
【００２５】
そして、コネクタ装置を組み立てるには、まず、コネクタ１０の後部に、コネクタ１０の後面部分を覆うようにカバー部材３０を装着し、カバー部材３０の前端の大径筒部３２を、コネクタ１０のカバー嵌合用筒壁１６の外周に嵌合させ、カバー部材３０の後端の小径筒部３１に、コネクタ１０の後面より引き出したワイヤーハーネスを挿通させる。
【００２６】
また、図１１に示すように、カバー部材３０の前端のフック部３５を、矢印Ａのように、コネクタ１０のカバー嵌合用筒壁１６の外周に設けた段部１５に係合させ、その状態で、パネルシールユニット２０の後端の係合部２４を、矢印Ｂで示す後方にスライドさせて、コネクタ１０側の係合アーム１４に係合させる。
【００２７】
それにより、図１３、図１４に示すように、コネクタ１０とパネルシールユニット２０とカバー部材３０とが一体化され、コネクタ装置が出来上がる。そして、この組立状態において、図１２に示すように、コネクタ１０の段部１５の前端面とパネルシールユニット２０の係合部２４の後端面２４ａとの間に、カバー部材３０のフック部３５が挟持されて抜け止めされる。
【００２８】
以上のように、このコネクタ装置によれば、カバー部材３０の前端にフック部３５を設け、そのフック部３５を、コネクタ１０の前部外周に装着固定したパネルシールユニット２０のユニット本体２０Ａの係合部２４の後端面２４ａとコネクタ１０の後部外周に設けた段部１５の前端面１５ａとで挟んで固定したので、外力が作用した際にも、カバー部材３０を抜けないように強く保持しておくことができる。また、カバー部材３０を装着した後に、通常のパネルシールユニット２０の取り付けを行うだけで、フック部３５を挟持できるので、カバー部材３０の抜け止め強化を図る作業が簡単にできる。
【００２９】
なお、フック部３５を挟んで固定する段部１５の前端面１５ａとパネルシールユニット２０の係合部２４の後端面２４ａの少なくとも一方に微小凹凸等の滑り止め手段を設ければ、よりカバー部材３０の抜け止め強化を図ることができる。また、カバー部材３０のフック部３５の片面や両面に滑り止めの微小凹凸を設けても、同様の効果を奏することができる。
【図面の簡単な説明】
【００３０】
【図１】本発明の実施形態のコネクタコネクタ装置の分解斜視図である。
【図２】同コネクタ装置の主要構成部品であるコネクタの斜視図である。
【図３】同コネクタの側断面図である。
【図４】図３のＩＶ部の拡大図である。
【図５】図１のコネクタ装置を構成する部品であるパネルシールユニットのユニット本体の斜視図である。
【図６】同ユニット本体の側断面図である。
【図７】図６のＶＩＩ部の拡大図である。
【図８】図１のコネクタ装置を構成する部品であるカバー部材の斜視図である。
【図９】同カバー部材の側断面図である。
【図１０】図９のＸ部の拡大図である。
【図１１】前記コネクタの後部外周にカバー部材の前端を嵌合させると共にパネルシールユニットを前方からコネクタの外周に装着固定しようとしている状態を示す要部拡大断面図である。
【図１２】図１１の次の段階を示す図で、コネクタの後部外周に設けた段部にカバー部材の前端を係合させ、その状態でパネルシールユニットをコネクタの外周に装着固定することにより、パネルシールユニットの後端面と段部の前端面とでカバー部材のフック部を挟んで固定している状態を示す要部の拡大断面図である。
【図１３】前記コネクタ装置の完成斜視図である。
【図１４】図１３のＸＩＶ−ＸＩＶ矢視断面図である。
【図１５】パネルの貫通孔を通して実施形態のコネクタ装置と相手コネクタを嵌合させようとしている状態を示す断面図である。
【図１６】従来のコネクタ装置の断面図である。
【符号の説明】
【００３１】
Ｐ  パネル
Ｐａ  貫通孔
１０  コネクタ
１４  係止アーム（係合手段）
１５  段部
１５ａ  前端面
２０  パネルシールユニット
２０Ａ  ユニット本体（環状体）
２４  係止部（係止手段）
２４ａ  後端面
１００  シール部材
３０  カバー部材
３１  小径筒部
３２  大径筒部
３５  フック部
【図１】
0004857236.tif 000002
【図２】
0004857236.tif 000003
【図３】
0004857236.tif 000004
【図４】
0004857236.tif 000005
【図５】
0004857236.tif 000006
【図６】
0004857236.tif 000007
【図７】
0004857236.tif 000008
【図８】
0004857236.tif 000009
【図９】
0004857236.tif 000010
【図１０】
0004857236.tif 000011
【図１１】
0004857236.tif 000012
【図１２】
0004857236.tif 000013
【図１３】
0004857236.tif 000014
【図１４】
0004857236.tif 000015
【図１５】
0004857236.tif 000016
【図１６】
0004857236.tif 000017